(57)【要約】【課題】オゾンをほとんど発生させることなく、十分な風量を得ることができるイオン風発生装置を提供する。【解決手段】放電電極１と対向電極２の間でコロナ放電を生じさせてイオン風を発生させるイオン風発生装置であって、上記対向電極２が多孔質導電部材から構成され、上記放電電極１が束ねられた多数の炭素繊維６から構成されている。これにより、オゾンをほとんど発生させることなく、十分に風量感を感じる風速のイオン風が得られる。【選択図】図１
2008112714.tif 000002
【特許請求の範囲】
【請求項１】
放電電極と対向電極の間でコロナ放電を生じさせてイオン風を発生させるイオン風発生装置であって、上記対向電極が多孔質導電部材から構成され、上記放電電極が多数の炭素繊維から構成されていることを特徴とするイオン風発生装置。
【請求項２】
上記対向電極が多孔質金属から形成されている請求項１記載のイオン風発生装置。
【請求項３】
上記対向電極の材質がニッケル系金属である請求項１または２記載のイオン風発生装置。
【発明の詳細な説明】
【技術分野】
【０００１】
本発明は、オゾンの発生を抑制しながら、マイナスイオン等のイオンを発生して室内等の空気中にイオン風として放出するイオン風発生装置に関するものである。
【背景技術】
【０００２】
従来から、プラスイオンやマイナスイオンを発生させてイオン風として室内等に放出するイオン風発生装置が提案されている。このようなイオン風発生装置は、イオン化電極と対向電極を対置して両電極間に高電圧を印加し、コロナ放電によってイオン風を発生させるものである（例えば、下記の特許文献１）。
【特許文献１】特開平１０−４３６２８号公報
【発明の開示】
【発明が解決しようとする課題】
【０００３】
上記従来のイオン風発生装置では、コロナ放電によって周辺の酸化や刺激臭の原因となるオゾンが発生し、オゾンによる周辺環境への悪影響が生じることがある。このようなオゾンによる悪影響を防止するため、従来は、印加電圧を低く抑えたり、活性炭フィルターによって発生したオゾンを吸着したり、あるいはオゾン分解触媒によってオゾンを分解する等の手法がとられていた。
【０００４】
ところが、印加電圧を低く抑える方法では、風量感を与えるほどの風速が得られないという問題があった。また、フィルターによる吸着では、圧力損失によって風速が低下してしまううえ、定期的にフィルターを交換しなければならず、ランニングコストが高くなるという問題がある。一方、触媒によってオゾンを分解する方法でも、風速を落とさないようにするためにハニカム構造の触媒を設備しなければならず、装置自体が大型化するうえ、見栄えもよくないという問題が残る。しかも、長期的な使用により、ハニカム構造の触媒が塵埃や油分等で覆われると、イオン風と触媒との接触機会が減少し、オゾンを十分に分解できなくなり、長期的な信頼性に欠けるという問題がある。このように、触媒で分解させたりフィルターで吸着する等の方法は、オゾンそのものを発生させなくするのではなく、発生させたオゾンを事後的に取り除くものであることから、抜本的な解決には至っていないのが実情である。
【０００５】
本発明は、上記のような事情に鑑みなされたもので、オゾンをほとんど発生させることなく、十分な風量を得ることができるイオン風発生装置を提供することをその目的とする。
【課題を解決するための手段】
【０００６】
上記目的を達成するため、本発明のイオン風発生装置は、放電電極と対向電極の間でコロナ放電を生じさせてイオン風を発生させるイオン風発生装置であって、上記対向電極が多孔質導電部材から構成され、上記放電電極が多数の炭素繊維から構成されていることを要旨とする。
【発明の効果】
【０００７】
すなわち、本発明のイオン風発生装置は、上記対向電極を多孔質導電部材から構成し、上記放電電極を多数の炭素繊維から構成したため、オゾンをほとんど発生させることなく、十分に風量感を感じる風速のイオン風が得られる。繊維状の放電電極と多孔質導電部材の対向電極との間でコロナ放電を生じさせることにより、微小電力による分散放電となってオゾンの発生を防止しているものと考えることができる。そして、フィルターのような圧力損失もないし、触媒のような長期信頼性が低下する心配もない。また、放電電極と対向電極以外にオゾンを除去する部材を設備する必要がないため、装置自体がコンパクトになる。また、従来の金属製の針状放電電極のように金属自体の劣化が生じることがなく、長期間にわたって安定的にイオン風を発生させることができ、信頼性や寿命の面で大幅に優れたものとなる。さらに、多孔質導電部材製の対向電極に空気中の浮遊塵埃が吸着することによる空気清浄効果も発揮し得るようになる。
【０００８】
本発明において、上記対向電極が多孔質金属から形成されている場合には、電極表面に気孔が露出し、気孔間の薄い壁部分で放電を起すことになることから、より微小電力による分散放電となってオゾンの発生が防止される。
【０００９】
本発明において、上記対向電極の材質がニッケル系金属である場合には、放電による対向電極の劣化が極めて少ないため、長期間にわたって安定的にオゾンの発生を防止しながらイオン風を発生させることができ、信頼性や寿命の面で大幅に優れたものとなる。
【発明を実施するための最良の形態】
【００１０】
つぎに、本発明を実施するための最良の形態を説明する。
【００１１】
図１は、本発明のイオン風発生装置をマイナスイオン発生器に適用した一実施形態を示す図である。
【００１２】
このマイナスイオン発生器は、放電電極１と対向電極２の間でコロナ放電を生じさせてイオン風を発生させるものである。この例では、対向電極２は長方形の板状の電極板２ａを２枚１組で使用し、２枚の電極板２ａを所定間隔を隔てて平行に配置して構成されている。そして、放電電極１は、対向電極２の幅方向に延びる細長い状態に形成されている。上記放電電極１は、対向電極２の一端側における対向電極２から少し離れた位置に、２枚の電極板２ａの略中央高さで対向電極２に沿うように配置されている。
【００１３】
上記対向電極２は、多孔質導電部材から構成されている。多孔質導電部材としては、例えば、焼結金属や金属フォーム等の多孔質金属を用いることができる。また、多孔質導電部材としては、炭素繊維クロス、炭素繊維不織布、金属繊維クロス、金属繊維不織布、合成繊維のクロス・不織布に金属めっきを施した導電性クロス・導電性不織布等を用いることもできる。これらのなかでも、上記対向電極２を金属フォームから形成するのが好ましい。
【００１４】
上記金属フォームは、例えば、発泡剤を均一に分散させて緻密化した金属粉末圧密体を加熱することにより、発泡剤の分解ガスの圧力を利用して軟化した金属母材中に気泡組織を形成させることにより多数の気泡を分散させたセル構造の多孔質金属である。なお、本発明に適用することができる金属フォームは、多数の気泡を分散させたセル構造の多孔質金属であれば、上述した製法で得られるものに限定する趣旨ではない。
【００１５】
上記金属フォーム等の多孔質金属における多孔率は、５０〜８５容積％程度が好適である。上記多孔率が８５容積％を超えると、強度が不足する上、放電による対向電極２の劣化度合が激しくなるおそれがあるからである。反対に５０容積％未満では、コロナ放電の際に分散放電効果が十分に得られず、オゾンを発生させるおそれがあるうえ、空気中微小塵埃の吸着効果が乏しく、空気清浄効果もあまり得られず、触媒の担持もあまりできなくなるからである。
【００１６】
上記金属フォーム等の多孔質金属における気孔寸法は、平均径で５０μｍ〜１ｍｍ程度が好適である。上記気孔寸法が１ｍｍを超えると、強度が不足する上、放電による対向電極２の劣化度合が激しくなるおそれがあるからである。また、空気中微小塵埃の吸着効果が乏しく、空気清浄効果もあまり得られず、触媒の担持もあまりできなくなるからである。反対に５０μｍ未満では、吸着による目詰まりが早く、コロナ放電の際に分散放電効果が十分に得られず、オゾンを発生させるおそれがあるからである。
【００１７】
上記対向電極２を構成する多孔質金属の材質としては、純ニッケルや、ニッケル基合金等のニッケル系金属から形成するのが好ましい。ニッケル基合金としては、例えば、Ｎｉ−Ｃｕ系合金（Ｎｉ−Ｃｕ−Ａｌ合金、Ｎｉ−Ｃｕ−Ｓｉ合金等を含む）、Ｎｉ−Ａｌ系合金、Ｎｉ−Ｆｅ系合金（Ｎｉ−Ｆｅ−Ｍｏ合金等を含む）、Ｎｉ−Ｃｒ系合金（Ｎｉ−Ｃｒ−Ｆｅ合金、Ｎｉ−Ｃｒ−Ｍｏ合金等を含む）等のニッケル基耐熱合金、ニッケル基耐食合金を用いることができる。これらのなかでも、特に、Ｎｉ−Ｃｒ−Ｆｅ系合金であるインコネルを好適に用いることができる。
【００１８】
また、上記対向電極２を構成する多孔質金属の材質として、上記各ニッケル系金属以外に、純アルミニウムや、Ａｌ−Ｓｉ系合金、Ａｌ−Ｍｇ系合金、Ａｌ−Ｃｕ−Ｍｇ系合金、Ａｌ−Ｃｕ−Ｍｇ−Ｎｉ系合金、Ａｌ−Ｃｕ−Ｓｉ系合金、Ａｌ−Ｓｉ−Ｍｇ系合金、Ａｌ−Ｓｉ−Ｃｕ系合金、Ａｌ−Ｓｉ−Ｍｇ−Ｃｕ系合金、Ａｌ−Ｓｉ−Ｍｇ−Ｎｉ系合金、Ａｌ−Ｍｎ系合金、Ａｌ−Ｓｉ−Ｃｕ−Ｍｇ系合金、Ａｌ−Ｍｇ−Ｓｉ系合金、Ａｌ−Ｚｎ−Ｍｇ−Ｓｉ系合金等の各種アルミ基合金等のアルミ系金属を用いることもできる。
【００１９】
また、上記対向電極２を構成する多孔質金属の材質として、上記各ニッケル系金属やアルミニウム系金属以外に、工業用純チタンや、各種のα型チタン合金、各種Ｎｅａｒα型チタン合金、各種のα＋β型チタン合金、各種のβ型チタン合金等の各種チタン基合金等のチタン系金属を用いることもできる。
【００２０】
また、上記放電電極１は、所定長さに切断された多数の炭素繊維６から形成され、各炭素繊維６の一端側を結束部材７で束ね、対向電極２に沿って幅寸法だけ延びる金属板１１に炭素繊維６の先端が対向電極２側を向くように所定の等間隔で複数並べて取り付けられたものである。
【００２１】
この例では、多数の炭素繊維６が束ねられ、環状に形成した絶縁性のゴム部材８が巻回されて、その外側を金属環９でかしめて結束するとともに、さらに根元部を金属製の端子部材１０が巻回されて構成され、上記ゴム部材８、金属環９および端子部材１０により結束部材７が構成されている。また、束ねられた炭素繊維６は、生じさせる気流に沿った長手方向と直交する方向に先端が切りそろえられている。そして、束ねた炭素繊維６の自由端側の各先端からコロナ放電させてイオン風を発生させるようになっている。
【００２２】
上記のように構成した放電電極１にマイナス電位を印加することにより、各炭素繊維６の先端からコロナ放電を生じ、より微弱な電力で風力の強いイオン風を生じさせることができる。また、微弱な電力でコロナ放電を生じることから、オゾンの発生量が激減する。
【００２３】
上記放電電極１に用いる炭素繊維６は、アクリル繊維を高温で炭化して作ったＰＡＮ系炭素繊維、レーヨンを加熱して炭化したレーヨン系炭素繊維、パルプの廃材であるリグニンを原料にしたリグニンＰＶＡ系炭素繊維、石油・石炭・コールタールなどの副生成物であるピッチを原料としたＰＩＴＣＨ系炭素繊維等、各種の炭素繊維を用いることができる。
【００２４】
上記放電電極１に用いる炭素繊維６の繊維外径は、０．６〜３０μｍ程度が好適である。０．６μｍ未満では、強度が不足する上、放電による繊維自体の劣化度合が激しくなるおそれがあるからである。放電分散電圧が繊維の本数ｎｐと放電電極印加電圧Ｖｏにより、Ｖｏ／ｎｐの関係を維持することから、繊維外径を細くして繊維の本数ｎｐを多くした方が、繊維１本あたりの分散電圧が少なくなるため、反対に、３０μｍを超えると、コロナ放電の際に分散放電効果が十分に得られず、オゾンを発生させるおそれがあるからである。
【００２５】
上記放電電極１と対向電極２は、ケース３の中に図示しない絶縁性の保持部材に保持されて上述したような位置関係で配置される。上記ケース３には、一方に空気取入口４が設けられ、他方にイオン風吹出口５が設けられており、空気取入口４側に放電電極１を配置し、イオン風吹出口５側に対向電極２を配置する。言い換えると、発生させるイオン風の上流側に放電電極１が配置され、下流側にはイオン風の流れに沿うよう対向電極２が配置されている。
【００２６】
この状態で、放電電極１にマイナス電位を印加し、対向電極にプラス電位を印加すると、放電電極１の先端でコロナ放電が起こり、放電電極１の先端から対向電極２の内面に向かって電子が放出される。放出された電子の流れは高電界によって加速されながら気体分子と衝突し、気体分子に運動エネルギーを与えて空気の電子誘導風となって気流を生み出す。このとき、電子の一部は気体分子の結合起動の外殻にトラップされてマイナスに帯電したマイナスイオン分子となる。したがって、電子誘導風は、マイナスイオン分子を含むイオン風の気流となる。
【００２７】
このように、上記放電電極１と対向電極２に直流の電位を印加することによって生じるイオン風は、放電電極１から対向電極２の間を抜けて吹出される気流となり、マイナスイオン分子を含むイオン風がイオン風吹出口５から室内に放出され、空気取入口４から外気が取り入れられる。
【００２８】
以上のように、本実施形態のマイナスイオン発生器によれば、上記対向電極２を多孔質導電部材から構成し、上記放電電極１を束ねられた多数の炭素繊維６から構成したため、オゾンをほとんど発生させることなく、十分に風量感を感じる風速のイオン風が得られる。繊維状の放電電極１と多孔質導電部材の対向電極２との間でコロナ放電を生じさせることにより、微小電力による分散放電となってオゾンの発生を防止しているものと考えることができる。そして、フィルターのような圧力損失もないし、触媒のような長期信頼性が低下する心配もない。また、放電電極１と対向電極２以外にオゾンを除去する部材を設備する必要がないため、装置自体がコンパクトになる。また、従来の金属製の針状放電電極のように金属自体の劣化が生じることがなく、長期間にわたって安定的にイオン風を発生させることができ、信頼性や寿命の面で大幅に優れたものとなる。さらに、多孔質導電部材製の対向電極２に空気中の浮遊塵埃が吸着することによる空気清浄効果も発揮し得るようになる。
【００２９】
また、放電電極１と対向電極２によってマイナスイオン分子が生成するため、マイナスイオンによる精神安定やリラックス効果が得られる。
【００３０】
また、上記対向電極２を多孔質金属から形成したため、電極表面に気孔が露出し、気孔間の薄い壁部分で放電を起すことになることから、より微小電力による分散放電となってオゾンの発生が防止される。
【００３１】
また、上記対向電極２をニッケル基合金から形成することにより、放電による対向電極２の劣化が極めて少ないため、長期間にわたって安定的にオゾンの発生を防止しながらイオン風を発生させることができ、信頼性や寿命の面で大幅に優れたものとなる。
【００３２】
図２は、本発明の第２の実施形態を示す。
【００３３】
この例では、上記放電電極１は、多数の炭素繊維６が束ねられて構成されている。すなわち、長尺の炭素繊維６を対向電極２の幅寸法に合わせて切断し、両端部に端子部材ともなる結束部材７を巻き付けることにより束ねたものである。そして、炭素繊維６の長手方向が対向電極２の幅方向に沿うように放電電極１を配置している。それ以外は、上記第１の実施形態と同様であり、同様の部分には同じ符号を付している。そして、上記第１の実施形態と同様の作用効果を奏する。
【００３４】
図３は、本発明の第３の実施形態を示す。
【００３５】
この例では、対向電極２として、平板状の電極板２ａを対面させて配置するのではなく、円筒状に形成し、上記円筒上の中心に放電電極１を配置したものである。この放電電極は、図２（Ｃ）に示したものと同様であり、束ねて根元を結束し、先端を切りそろえたもので、先端を対向電極２側に向けて配置されている。
【００３６】
この例において、筒状の対向電極２は、円筒状だけでなく、四角筒状にしてもよいし、イオン風の下流側を先広がりに形成したり、反対に先窄まりに形成したりすることもできる。
【００３７】
上記のように構成した放電電極１にマイナス電位を印加することにより、各炭素繊維６の先端からコロナ放電を生じ、より微弱な電力で風力の強いイオン風を生じさせることができる。また、微弱な電力でコロナ放電を生じることから、オゾンの発生量が激減する。それ以外は、上記第１および第２の実施形態と同様であり、同様の部分には同じ符号を付している。そして、この実施形態でも上記第１および第２の実施形態と同様の作用効果を奏する。
【００３８】
図４は、本発明の第４の実施形態を示す。
【００３９】
図４（Ａ）は、図３に示した円筒状の対向電極２と先頭がその中心に向かうよう配置された放電電極１のユニットを複数組（この例では５組）並列状に配置した例を示す。このようにすることにより、大きな風量のイオン風を得ることができる。
【００４０】
図４（Ｂ）は、円筒状の第１対向電極２ｂと第２対向電極２ｃとを所定の隙間２０を隔てて直列状に配置し、第１対向電極２ｂ側に放電電極１を１つ配置したものである。このようにすることにより、第１対向電極２ｂと第２対向電極２ｃの間の隙間２０が空気取入口として機能して空気が取り込まれることにより、より風量の大きなイオン風を得ることができる。
【００４１】
図４（Ｃ）は、図３に示した円筒状の対向電極２と先頭がその中心に向かうよう配置された放電電極１のユニットを複数組（この例では２組）直列状に配置した例を示す。このようにすることにより、後方のユニットと前方のユニットでそれぞれイオン風が発生するとともに、後方のユニットで発生したイオン風が前方のユニットに流れ込んでイオン風を加速させ、より風量の大きなイオン風を発生させることができる。
【００４２】
図４（Ｄ）は、図３に示した円筒状の対向電極２と先頭がその中心に向かうよう配置された放電電極１のユニットを複数組（この例では７組）備え、１つのユニットを中心として６つのユニットがそれを取り囲むように配置した例を示す。このようにすることにより、より大きな風量のイオン風を得ることができる。
【００４３】
それ以外は、上記第１〜第３の実施形態と同様であり、同様の部分には同じ符号を付している。そして、この実施形態でも上記第１〜第３の実施形態と同様の作用効果を奏する。
【００４４】
図５は、本発明の第５の実施形態を示す。
【００４５】
この例は、図３に示した円筒状の対向電極２と先頭がその中心に向かうよう配置された放電電極１のユニットを複数組（この例では６組）備え、各放電電極１が中心部に集積するとともに先端が放射状に向くように配置した例を示す。このようにすることにより、全方向にイオン風を送ることができ、例えば居室内全体にマイナスイオンをまんべんなく送ることができる。それ以外は、上記第１〜第４の実施形態と同様であり、同様の部分には同じ符号を付している。そして、この実施形態でも上記第１〜第４の実施形態と同様の作用効果を奏する。
【００４６】
図６は、本発明の第６の実施形態を示す。
【００４７】
この例では、円筒状の金属フォーム部材１３で形成された１つの対向電極２と、複数の放電電極１ａ，１ｂから構成された放電電極ユニット１ｃを備えている。上記放電電極ユニット１ｃは、先端が対向電極２の中心に向かうよう配置されたセンター電極１ａと、上記センター電極１ａの周囲を囲む仮想円上に等間隔で配置された周辺電極１ｂとを備えて構成されている。そして、上記センター電極１ａの先端の方が、周辺電極１ｂの先端よりも対向電極２側に突出するよう設定され、各周辺電極１ｂの先端と対向電極２との距離は等しくなるよう設定されている。
【００４８】
このように、１つの対向電極２に対して複数の放電電極１ａ，１ｂを配置してコロナ放電させることにより、マイナスイオンの発生量も増大するうえ、より風力の強いイオン風を発生させることができる。また、センター電極１ａと周辺電極１ｂとの間で対向電極２の内周面との距離に差がなくなるため、複数の放電電極１ａ，１ｂ間で放電状態のばらつきが少なくなって安定した放電が行なわれ、マイナスイオンの発生量も安定するうえ、イオン風の風量も安定する。それ以外は、上記第１〜第５の実施形態と同様であり、同様の部分には同じ符号を付している。そして、この実施形態でも上記第１〜第５の実施形態と同様の作用効果を奏する。
【００４９】
図７は、本発明の第７の実施形態を示す。
【００５０】
この例では、対向電極２は、円筒状の内側電極１５と、上記内側電極１５の外側に同心状に配置された外側電極１６とにより構成された２重構造に形成されている。そして、上記複数の放電電極１が内側電極１５と外側電極１６との間の隙間に先端が向かうように配置されている。各放電電極１は、上記内側電極１５および外側電極と同心状をなす仮想円上に等間隔で配置されている。
【００５１】
このように、内側電極１５と外側電極１６の間のドーナツ状の隙間に対して複数の放電電極１を配置してコロナ放電させることにより、マイナスイオンの発生量も増大するうえ、より風力の強いイオン風を発生させることができる。また、各放電電極１間で対向電極２の周面との距離に差がなくなるため、各放電電極１間で放電状態のばらつきが少なくなって安定した放電が行なわれ、マイナスイオンの発生量も安定するうえ、イオン風の風量も安定する。さらに、内側電極１５と外側電極１６の間に形成されるドーナツ状の空間でイオン風を発生させることから、イオン風の指向性が高くなり、真っ直ぐ流れるイオン風を発生させることができる。それ以外は、上記第１〜第６の実施形態と同様であり、同様の部分には同じ符号を付している。そして、この実施形態でも上記第１〜第６の実施形態と同様の作用効果を奏する。
【００５２】
図８は、本発明の第８の実施形態を示す。
【００５３】
この例では、金属フォーム板を組み合わせて４つの四角筒状部１７が形成された対向電極２を形成し、各四角筒状部１７に対応させて４つの放電電極１を配置したものである。それ以外は、上記第１〜第７の実施形態と同様であり、同様の部分には同じ符号を付している。そして、この実施形態でも上記第１〜第７の実施形態と同様の作用効果を奏する。
【００５４】
図９は、本発明の第９の実施形態を示す。
【００５５】
この例は、所定間隔を隔てて対面させた２枚の金属フォーム板にそれぞれ複数の開口部２２を形成して対向電極２を構成し、放電電極１を複数（この例では３つ）並列状に配置している。このようにすることにより、上記開口部２２が空気取入口として機能して空気が取り込まれることにより、より風量の大きなイオン風を得ることができる。それ以外は、上記第１〜第８の実施形態と同様であり、同様の部分には同じ符号を付している。そして、この実施形態でも上記第１〜第８の実施形態と同様の作用効果を奏する。
【００５６】
図１０は、本発明の第１０の実施形態を示す。
【００５７】
この例では、所定間隔を隔てて対面させた２枚の金属フォーム板で対向電極２を構成し、上記対向電極２の幅方向に沿うように棒状の放電電極１を配置している。上記放電電極１は、金属棒に短い炭素繊維を植毛したものであり、表面に多数の炭素繊維が放射状に植毛されている。上記放電電極１では、対向電極２に面した部分に存在する炭素繊維先端からコロナ放電が生じる。そして、ある程度使用して対向電極２側の炭素繊維が消耗してきたら、放電電極１を３分の１回転〜半回転させて炭素繊維が消耗していない部分を対向電極２に向けて使用を継続することができる。それ以外は、上記第１〜第９の実施形態と同様であり、同様の部分には同じ符号を付している。そして、この実施形態でも上記第１〜第９の実施形態と同様の作用効果を奏する。
【００５８】
図１１は、本発明の第１１の実施形態を示す。
【００５９】
この例では、一端側に繰出ロール２５、他端側に巻取ロール２６を設けた一対の長尺状の金属フォーム帯材を所定間隔を隔てて配置して対向電極２を形成している。また、放電電極１は、長尺状の導電性の不燃フィルム帯材に炭素繊維を植毛し、一端側に繰出ロール２５、他端側に巻取ロール２６を設けて構成している。そして、ある程度使用して放電電極１の炭素繊維が消耗してきたら、その分だけ巻き取って新しい部分を繰出して使用を続けることができる。また、ある程度使用して対向電極２に塵埃等が付着して汚れてきたらその分だけ巻き取って新しい部分を繰出して使用を続けることができる。それ以外は、上記第１〜第１０の実施形態と同様であり、同様の部分には同じ符号を付している。そして、この実施形態でも上記第１〜第１０の実施形態と同様の作用効果を奏する。
【００６０】
本発明は、上記各実施形態に限定するものではなく、下記の各変形例を包含する趣旨である。
【００６１】
上記各実施形態では、マイナスイオンを含むイオン風を発生させるだけのものを示したが、発生するイオン風の上流側や下流側に、芳香剤や消臭剤等の液剤を蒸散させる液剤蒸散部を設け、上記液剤の有効成分をイオン風とともに室内に拡散させるようにしてもよい。
【００６２】
この場合、液剤の有効成分は、自然蒸散させるようにしてもよいし、超音波霧化装置を使用して強制的に霧化させて有効成分を積極的に蒸散させたり、加熱装置等によって液剤を加熱することにより有効成分を積極的に蒸散させたりすることもできる。上記液剤としては、芳香剤や消臭剤に限定するものではなく、例えば、防虫剤、殺虫剤、忌避剤、殺菌剤等各種のものを適用することができる。
【００６３】
また、上記各実施形態において、イオン風の下流側に、発生したイオン風の風力で動いて視覚的効果を演出する可動演出部材を設けることもできる。上記可動演出部材としては、例えば、イオン風で回転するプロペラや、ＬＥＤを根元につけた光ファイバー状のものや、風鈴、人形等、イオン風を受けて動くことにより視覚的演出効果が得られるものであれば各種のものを適用することができる。このようにすることにより、マイナスイオンが発生するだけでなく、視覚的に面白みのある演出効果を得ることもできる。
【００６４】
また、上記各実施形態では、先端が対向電極２側を向いてイオン風を発生させる放電電極１によりマイナスイオン分子を生成するようにしたが、これに加えてイオン風の発生には寄与せずにマイナスイオン分子だけを生成するマイナスイオン生成電極を並設するようにしてもよい。
【００６５】
また上記実施形態では、上記放電電極１と対向電極２の組を１組だけ設けた例を示したが、イオン風の流れ方向に沿って複数組直列的に配置することにより、２段の放電電極１と対向電極２からそれぞれイオン風を生じさせ、１段目段の放電電極１と対向電極２で発生したイオン風を２段目の放電電極１から放出された電子によりさらに加速して、より強力なイオン風を発生させるようにしてもよい。
【００６６】
さらに、上記放電電極１と対向電極２を、イオン風の流れ方向に対して複数組並列的に配置することにより、並列的に配置された複数組の放電電極１と対向電極２からイオン風が発生するので、より多くのマイナスイオンを発生させるとともに、トルクの強いイオン風を発生させるようにしてもよい。また、この態様において、並列的に配置された複数組の放電電極１と対向電極２を、イオン風の流れに沿う方向に沿ってさらに複数組直列的に配置することもできる。
【００６７】
また、上記各実施形態では、外装を筒状のケース３としたが、外装は筒状のものに限定するのではなく、各種の外観形状のものを適用することができる。
【図面の簡単な説明】
【００６８】
【図１】本発明の一実施形態のイオン風発生装置を示す図であり、（Ａ）は放電電極と対向電極を示す斜視図、（Ｂ）は断面図、（Ｃ）は放電電極の要部を示す拡大図である。
【図２】本発明の第２実施形態のイオン風発生装置を示す図であり、（Ａ）は放電電極と対向電極を示す斜視図、（Ｂ）は断面図である。
【図３】本発明の第３実施形態のイオン風発生装置を示す斜視図である。
【図４】本発明の第４実施形態のイオン風発生装置を示す斜視図である。
【図５】本発明の第５実施形態のイオン風発生装置を示す斜視図である。
【図６】本発明の第６実施形態のイオン風発生装置を示す斜視図である。
【図７】本発明の第７実施形態のイオン風発生装置を示す斜視図である。
【図８】本発明の第８実施形態のイオン風発生装置を示す斜視図である。
【図９】本発明の第９実施形態のイオン風発生装置を示す斜視図である。
【図１０】本発明の第１０実施形態のイオン風発生装置を示す斜視図である。
【図１１】本発明の第１１実施形態のイオン風発生装置を示す斜視図である。
【符号の説明】
【００６９】
１：放電電極
１ａ：放電電極（センター電極）
１ｂ：放電電極（周辺電極）
１ｃ：放電電極ユニット
２：対向電極
２ａ：電極板
２ｂ：第１対向電極
２ｃ：第２対向電極
３：ケース
４：空気取入口
５：イオン風吹出口
６：炭素繊維
７：結束部材
８：ゴム部材
９：金属環
１０：端子部材
１１：金属板
１５：内側電極
１６：外側電極
１７：四角筒状部
２２：開口部
２５：繰出ロール
２６：巻取ロール
【図１】
2008112714.tif 000003
【図２】
2008112714.tif 000004
【図３】
2008112714.tif 000005
【図４】
2008112714.tif 000006
【図５】
2008112714.tif 000007
【図６】
2008112714.tif 000008
【図７】
2008112714.tif 000009
【図８】
2008112714.tif 000010
【図９】
2008112714.tif 000011
【図１０】
2008112714.tif 000012
【図１１】
2008112714.tif 000013